(57)【要約】      （修正有）【課題】パソコンの画面を覗きこむ顎出し姿勢や、スマートフォンのゲームなどで長時間下を向くうつむき姿勢を矯正する姿勢矯正方法及び姿勢矯正具を提供する。【解決手段】環状にした長細バンド２を鼻Ｎの下方の顎Ｃから耳Ｅの後方の首Ｋに巻くようにして顔Ｆに装着した姿勢矯正具１により、顎を後方に引いて頸椎の形状異常を防止し、首や肩の負担を軽減するようにした。顔に装着する長細バンドが柔軟性あるシート材よりなり、前記長細バンドを鼻と顎の間隔より狭い帯幅にした。【選択図】図１
2015054230.tif 000002
【特許請求の範囲】
【請求項１】
環状にした長細バンドの前部が鼻の下方の顎に当接し、前記長細バンドの後部が耳の後方の首に当接するように前記長細バンドを顔に装着し、顎を後方に引かせることを特徴とする姿勢矯正方法。
【請求項２】
顔に装着する長細バンドが柔軟性あるシート材よりなり、前記長細バンドを鼻と顎の間隔より狭い帯幅にしたことを特徴とする姿勢矯正具。
【請求項３】
顎に当接する前記長細バンドの前部を幅広に形成し、前記前部に開口を穿設し、この開口より口を臨ませることを特徴とする請求項２記載の姿勢矯正具。
【請求項４】
前記長細バンドが両端部を有し、この両端部の接続位置が変更できるような係止部を前記両端部に設けたことを特徴とする請求項２又は請求項３記載の姿勢矯正具。
【発明の詳細な説明】
【技術分野】
【０００１】  この発明は、うつむき姿勢・顎出し姿勢・前かがみ姿勢を防止・矯正する姿勢矯正方法及び姿勢矯正具に関する。
【背景技術】
【０００２】  最近、パソコンやスマートフォン、携帯ゲーム機などの電子機器が普及し、パソコンの画面を首を前に出して覗き込む顎出し姿勢や、スマートフォンや携帯用ゲーム機の画面を見るために下を向くうつむき姿勢を取る時間と機会が著しく増えた。こうしてうつむき姿勢・顎出し姿勢・前かがみ姿勢が習慣化すると、首や肩、背中に大きな負担がかかり、首や肩のこりや痛み、疲労などを引き起こす大きな原因となる。また、頸椎の形状異常であるストレートネックを招く危険も高まることが指摘されている。【０００３】  そこで、机や椅子などの設置面上に定着状態で立設される支持部材の上端にパソコンやスマートフォンを操作する人の顎を受け止める顎受部材を設け、頭の重みが首の付け根にかかり、肩こりや首周りに負担がかかることを軽減したものがある。（例えば、特許文献１）
【先行技術文献】
【特許文献】
【０００４】
【特許文献１】特開２０１１−４８８０４号公報
【発明の概要】
【発明が解決しようとする課題】
【０００５】  従来このような器具では、次のような課題が存在していた。
すなわち、顎を受け止める顎受部材を支持する支持部材が机や椅子などの設置面上に定着状態で立設されるので、支持部材の安定した状態で設置できる場所を確保する必要がある。【０００６】  しかも、身体の身長に合わせて顎受部材を支持部材に対して伸縮させるようになるので、構造が複雑で大型化し、持ち運びが不便であった。支持部材が机や椅子に設置されているので、顎を顎受部材に乗せた正しい姿勢での移動が容易にできないことになる。【０００７】  また、正しい顎引き姿勢の状態で顎を顎受部材に乗せ、このままの姿勢で顎受部材を支持部材に固定することになり、使用者が一人で行うことが難しく、身近な人に顎受部材を支持部材に固定してもらうことになり、手間がかかり面倒であった。また、顎受部材に顎を乗せて長時間、正しい顎引き姿勢を維持しなければならず、移動が容易にできないという難点もあった。【０００８】  この発明は、以上のような課題を解決するためになされたもので、パソコンの画面を覗き込む顎出し姿勢や、スマートフォンやゲーム機の画面を見るために下を向くうつむき姿勢を簡単な姿勢矯正具により自分一人で容易に矯正できる姿勢矯正方法及び、姿勢矯正具を使用しない場合は、コンパクトに折りたたむことができ、携帯して持ち運びが容易できる姿勢矯正具を提供することを目的とする。
【課題を解決するための手段】
【０００９】  上述した課題を解決し、かつ目的を達成するために、この発明は以下のように構成した。【００１０】  請求項１に記載の発明は、環状にした長細バンドの前部が鼻の下方の顎に当接し、前記長細バンドの後部が耳の後方の首に当接するように前記長細バンドを顔に装着し、顎を後方に引いて頸椎の形状異常を防止し、首や肩の負担を軽減することを特徴とする姿勢矯正方法である。【００１１】  請求項２に記載の発明は、顔に装着する長細バンドが柔軟性のあるシート材よりなり、鼻と顎の間隔より狭い帯幅を有することを特徴とする姿勢矯正具である。【００１２】  請求項３に記載の発明は、顎に当接する前記長細バンドの前部を幅広に形成し、前記前部に開口を穿設し、この開口より口を臨ませることを特徴とする請求項２記載の姿勢矯正具である。【００１３】  請求項４に記載の発明は、前記長細バンドが両端部を有し、この両端部の接続位置が変更できるような係止部を前記両端部に設けたことを特徴とする請求項２又は請求項３記載の姿勢矯正具である。
【発明の効果】
【００１４】  前記の構成により、この発明は以下の効果を有する。【００１５】  請求項１乃至請求項４に記載の発明における姿勢矯正方法及び姿勢矯正具より、顎出し姿勢・うつむき姿勢・前かがみ姿勢を防止・矯正し、首や肩への負担を軽減して首や肩のこりや痛み、疲労を防止するとともに、顎を後方に引くことで頸椎の形状異常であるストレートネックを防止する。
【図面の簡単な説明】
【００１６】
【図１】この発明の姿勢矯正具の使用状態を示す側面図。
【図２】この発明の姿勢矯正具の使用状態を示す正面図。
【図３】この発明における長細バンドの第１の実施の態様を示す平面図。
【図４】この発明における長細バンドの第２の実施の態様を示す斜視図。
【発明を実施するための形態】
【００１７】  以下、この発明の姿勢矯正具の実施の形態について説明する。この発明の実施の形態は、発明の最も好ましい形態を示すものであり、この発明はこれに限定されない。
【００１８】  この発明の第１の実施の形態を、図１乃至図３に基づいて説明する。図１は全体形状を示すもので、符号１で示されるものは全体が合成樹脂又は、布よりなる姿勢矯正具である。この姿勢矯正具１の合成樹脂又は、布には伸縮性があるとよい。
【００１９】  前記姿勢矯正具１は、顔Ｆに装着する環状にした長細バンド２よりなり、鼻Ｎの下方の顎Ｃに当接する前部３と、耳Ｅの後方の首Ｋに当接する後部４を有する。
【００２０】  前記長細バンド２は柔軟性のあるシート材よりなり、両端部２ａ、２ｂを有し、この両端部２ａ、２ｂを接続して環状にして顔Ｆに装着する。
顔Ｆに装着しない場合は、前記長細バンド２が柔軟性のあるシート材なので、折りたたむことができ、コンパクトにして、携帯することができる。
なお、前記長細バンド２の帯幅は鼻Ｎと顎Ｃの間隔より狭い３０〜１００ｍｍにする。
【００２１】  前記長細バンド２の前部３を幅広に形成し、この前部３に横長の開口５を上方に偏位して穿設し、口Ｍを前記開口５より臨ませて、呼吸や会話を妨げないようにしている。
【００２２】  前記開口５を上方に偏位していると、前記長細バンド２の前部３の上方の幅が細く、下方の幅が太くなるので、前記長細バンド２の上下の区別ができ、幅が細くなっている方を鼻Ｎの下に、幅が太くなって方を顎Ｃに当接させることが容易にできる。
【００２３】  前記両端部２ａ、２ｂの接続位置が変更できるような係止部６を前記両端部２ａ、２ｂに設け、前記長細バンド２の長さを調節することにより、顔Ｆに装着した時の巻き加減をみることができる。
【００２４】  前記係止部６は面ファスナー６１よりなり、前記長細バンド２の両端部２ａ、２ｂのいずれか一方に面ファスナー６１のフックが、他方にループが固着されている。なお、面ファスナー６１に替えて、バックルとか、トライグライト等にしてもよい。
【００２５】  以上の構成によるこの発明の姿勢矯正方法において、前記長細バンド２を顔Ｆに装着する際は、前記長細バンド２の前部３が鼻Ｎの下に当る位置を基点にし、顎Ｃと前記長細バンド２とは少し浮かせた状態にしながら、前記長細バンド２の上辺が水平になるように、顔Ｆの両側から耳Ｅの下を通して首Ｋの後方に巻き、前記係止部６で両端部２ａ、２ｂを接続すると、顎Ｃを強く引くことなく、うつむき姿勢や顎出し姿勢を矯正できる。
前記長細バンド２を顔Ｆに緊迫させて装着すると、うっ血や窒息、あるいは首Ｈの痛みやしびれの悪化を招く可能性もあるため、前記長細バンド２を巻いた状態で、顔Ｆと前記バンド２の隙間に指が二、三本入る程度の緩い状態にする。
【００２６】  また、この発明の姿勢矯正具においては、前記長細バンド２が柔軟性のあるシート材なので、顔Ｆに装着しない場合は、折りたたむことができ、コンパクトにして、携帯することができる。
【００２７】  次に、長細バンドの第２の実施の形態を、図４に基づいて説明する。この実施の形態において第１の実施の形態と同じ構成は同一の符号を付して説明する。
【００２８】  この第２の実施の形態では、姿勢矯正具１の長細バンド７は連続する一体の環状に構成し、この長細バンド７は柔軟性のあるシート材よりなり、若干の伸縮性がある。
【００２９】  前記長細ベルト７を顔Ｆに装着するには、まず前記長細ベルト７を頭Ｈから被り、鼻Ｎと顎Ｃの間隔より狭い帯幅の前記長細バンド７の前部８を鼻Ｎの下方から顎Ｃまで当接させ、後部９を耳Ｅの後方の首Ｋに当接させる。
こうして、前記長細ベルト７が顔Ｆに装着されると、顎Ｃが後方に引かれることになり、うつむき姿勢や顎出し姿勢が矯正できる。
【００３０】  前記長細バンド７の前記前部８にスリット１０を設け、このスリット１０に口Ｍを臨ませて、呼吸や会話を妨げないようにしている。
尚、この実施の形態では、前記長細バンド７の前部８にスリット１０を設け、このスリット１０に口Ｍを臨ませているが、前記長細バンド７の前部８の幅を細くすれば、前記スリット１０がなくてもよい。
【産業上の利用可能性】
【００３１】  この発明は、パソコンの画面を覗き込む顎出し姿勢や、スマートフォンや携帯用ゲーム機の使用などで下を向くうつむき姿勢を改善することができる。
【符号の説明】
【００３２】１    姿勢矯正具
２、７      長細ベルト
２ａ、２ｂ  長細ベルトの両端部
３、８      長細ベルトの前部
４、９      長細ベルトの後部
５    開口
６    係止部
６１  面ファスナー
１０  スリット
顔    Ｆ
鼻    Ｎ
首    Ｋ
顎    Ｃ
耳    Ｅ
口    Ｍ
頭    Ｈ
【図１】
2015054230.tif 000003
【図２】
2015054230.tif 000004
【図３】
2015054230.tif 000005
【図４】
2015054230.tif 000006